(57)【特許請求の範囲】
【請求項１】
天面壁と該天面壁の周縁から垂下する筒状のスカート壁とを有し、前記スカート壁の外周壁部には、該外周壁部の外側に突出し前記スカート壁の上下方向に延在する滑り止め用スカート部ナールを前記スカート壁の全周方向に亘って複数形成した容器蓋において、
前記天面壁の周縁には、上方に延びる突出壁が周方向に亘って形成され、前記突出壁の外周面には前記スカート部ナールの延長線上に延びる外周面部ナールを形成し、
前記突出壁上面の上面壁には前記外周面部ナールに連続して中心方向に延びる上面部ナールを形成し、
前記スカート部ナール、前記外周面部ナール及び前記上面部ナールは、外方への突出高さの大きな大突部と突出高さが該大突部よりも低い小突部とを有し、前記スカート部の外周壁部及び前記突出壁の外周面部には前記大突部を複数形成した大突部領域と前記小突部を複数形成した小突部領域とを有し、これら大突部領域と小突部領域とを周方向へ交互に配設するようにしたことを特徴とする容器蓋。
【請求項２】
前記スカート部ナール及び前記外周面部ナールの前記小突部領域内において、前記小突部の径方向外方への突出高さは外側から中間側に向かって漸次減少していることを特徴とする請求項１に記載の容器蓋。
【請求項３】
前記上面部ナールの大突部の前記上面壁上方への突出高さを同一高さとするとともに、前記小突部の前記上面壁上方への突出高さは前記小突部領域の外側から中間側に向かって漸次減少していることを特徴とする請求項１に記載の容器蓋。
【請求項４】
天面壁と該天面壁の周縁から垂下する筒状のスカート壁とを有し、前記スカート壁の外周壁部には、該外周壁部の外側に突出し前記スカート壁の上下方向に延在する滑り止め用スカート部ナールを前記スカート壁の全周方向に亘って複数形成した容器蓋において、
前記天面壁の周縁には、上方に延びる突出壁が周方向に間隔を置いて複数個形成され、前記突出壁の外周面には前記スカート部ナールの延長線上に延びる外周面部ナールを形成したことを特徴とする容器蓋。
【請求項５】
前記突出壁上面の上面壁には前記外周面部ナールに連続して中心方向に延びる上面部ナールを形成したことを特徴とする請求項４に記載の容器蓋。
【発明の詳細な説明】
【技術分野】
【０００１】
本発明は、飲料、洗剤、薬剤などの液体を収容する容器の口頸部に設けられ、容易に開閉することができる容器蓋に関する。
【背景技術】
【０００２】
コーヒーや清涼飲料水などの容器の容器蓋には、容器蓋を開閉する際に、有底円筒体形状の周壁部に相当するいわゆるスカート壁に、上下方向に延びる線条の突部（縦リブ、業界ではナール、ローレットなどと呼ばれるが、本明細書ではナールという）が形成されている。この突部は、容器蓋を開閉するときに、指が滑らなくするために設けられている。
このような、ナールが形成されている容器蓋において、さらに指の引っ掛かりを向上させるために、スカート壁の上下方向へ延びる線条の突部について、突出高さの大きな突部（以下、大突部という）と突出高さの小さい突部（以下小突部という）の２種の突部を形成し、これらの大突部と小突部とを容器蓋のスカート壁の全周部へ周方向に向けて互い違いに並べ、容器蓋の開閉の際に、指の引っ掛かりを良くし、容器蓋の開閉性を向上させているものが下記の特許文献１に記載されている。
【特許文献１】特開２００１−３５４２４７号公報
【発明の開示】
【発明が解決しようとする課題】
【０００３】
容器蓋は省資源化、コストを下げるためにスカート壁の高さの低いものや容器蓋の径の小さいもの、あるいは容器のデザイン上から容器の口頸部の長さ短く、容器蓋のスカート壁が短いものが使用されることがある。このような場合、スカート壁の高さが低い容器蓋や径の小さい容器蓋では、握りの部分であるスカート壁の大きさが小さくなるので、握り面積が小さくなって、高さの大きな容器蓋や径の大きな容器蓋よりも強い力で開栓することになる。さらに、初期の開栓に大きな力を必要とするものは、開け難くなる傾向にある。
したがって、容器蓋の省資源化が達成できるのであれば、容器蓋の高さは高い方が望ましい。
【０００４】
特許文献１のように、大突部と小突部を交互に並べた状態では、大突部と小突部の高さの差が小さければ、指の引っ掛かり（開閉性）が悪くなる傾向にあり、大突部と小突部の高さの差が大きくなれば、容器蓋の開閉の際に、指の平に大突部の先端が食い込んで指が痛くなるような手触り感（触感性）を受けたりすることがある。
特に、タンパーエビデントバンド（不正開封防止バンド）が装着されている容器蓋は、ユーザが飲料商品などの購入後に初期に開栓するような場合、タンパーエビデントバンドの橋絡部を切断するので、通常の開栓時よりも負荷を必要とし、指先に突部が食い込むようになり、手触り感が悪くなる問題がある。
また、スカート壁の長さが短いと、開栓時にタンパーエビデントバンドを一緒に握ったまま容器蓋を開けようとすることもあり、開栓がし辛くなるという問題もある。
【０００５】
本発明は、このような事情に鑑みてなされたものであって、省資源化を達成するとともに開けやすく、開閉時における開閉性が良く手触り感を向上させる容器蓋を提供することを目的とする。
【課題を解決するための手段】
【０００６】
本発明の容器蓋は、上記目的を達成するために、天面壁と該天面壁の周縁から垂下する筒状のスカート壁とを有し、前記スカート壁の外周壁部には、該外周壁部の外側に突出し前記スカート壁の上下方向に延在する滑り止め用スカート部ナールを前記スカート壁の全周方向に亘って複数形成した容器蓋において、前記天面壁の周縁には、上方に延びる突出壁が周方向に亘って形成され、前記突出壁の外周面には前記スカート部ナールの延長線上に延びる外周面部ナールを形成し、前記突出壁上面の上面壁には前記外周面部ナールに連続して中心方向に延びる上面部ナールを形成し、前記スカート部ナール、前記外周面部ナール及び前記上面部ナールは、外方への突出高さの大きな大突部と突出高さが該大突部よりも低い小突部とを有し、前記スカート部の外周壁部及び前記突出壁の外周面部には前記大突部を複数形成した大突部領域と前記小突部を複数形成した小突部領域とを有し、これら大突部領域と小突部領域とを周方向へ交互に配設するようにした。
上記容器蓋は、前記スカート部ナール及び前記外周面部ナールの前記小突部領域内において、前記小突部の径方向外方への突出高さは外側から中間側に向かって漸次減少させることができる。
上記容器蓋は、前記上面部ナールの大突部の前記上面壁上方への突出高さを同一高さとするとともに、前記小突部の前記上面壁上方への突出高さは前記小突部領域の外側から中間側に向かって漸次減少させることができる。
また、本発明の容器蓋は、上記目的を達成するために、天面壁と該天面壁の周縁から垂下する筒状のスカート壁とを有し、前記スカート壁の外周壁部には、該外周壁部の外側に突出し前記スカート壁の上下方向に延在する滑り止め用スカート部ナールを前記スカート壁の全周方向に亘って複数形成した容器蓋において、前記天面壁の周縁には、上方に延びる突出壁が周方向に間隔を置いて複数個形成され、前記突出壁の外周面には前記スカート部ナールの延長線上に延びる外周面部ナールを形成した。
該容器蓋の前記突出壁上面の上面壁には前記外周面部ナールに連続して中心方向に延びる上面部ナールを形成することができる。
【発明の効果】
【０００７】
本発明の容器蓋は、前記天面壁の周縁には、上方に延びる突出壁が周方向に亘って形成され、前記突出壁の外周面には前記スカート部ナールの延長線上に延びる外周面部ナールを形成したので、容器の口頸部の長さが低いものであっても、突出壁を形成したので、容器蓋の開栓時にタンパーエビデントバンドを一緒に握って回すようなことがなくなり、開栓が容易になった。
該スカート部には前記大突部を複数形成した大突部領域と前記小突部を複数形成した小突部領域とを有し、これら大突部領域と小突部領域とを周方向へ交互に配設するようにしたので、手触り感がよく、容器蓋を強い力で握りしめることができる。
【発明を実施するための最良の形態】
【０００８】
以下、本発明の第１の実施形態の容器蓋について、図面を参照しながら説明する。
図１は、本発明に係る容器蓋１の斜視図であり、図２は容器蓋１の正面図、図３は容器蓋１の天面を示す平面図、図４は容器蓋１を上下方向に切断した断面図である。
この容器蓋１は、例えばポリエチレン、ポリプロピレンなどの合成樹脂などから形成されており、円板形状の天面壁５とこの天面壁５の周囲に設けられ、天面壁５よりも低い位置に配設されている略円筒形状のスカート壁６と、天面壁よりも高い位置に配設されている円筒形状の上方突出壁９を有する。
容器蓋１の天面壁５は、中心部に位置する窪みを除き、全体が水平に延在し、スカート壁６の下部には周方向に延在する弱化ライン７が形成されている。スカート壁６には、その弱化ライン７よりも上方から天面壁５に亘って主部８を設け、弱化ライン７よりも下方にタンパーエビデント裾部１０を設けている。
【０００９】
図４に示すように、周方向弱化ライン７は、周方向に間隔をおいて形成されたスリット１２とこれらのスリット１２間に存在する複数の橋絡部１４とから構成されている。橋絡部１４は、主部８と裾部１０を上下方向に破断可能に連結し、容器蓋１の開栓時の破断を容易にしている。
スカート壁６の主部８は、肉厚の等しい筒状の外周壁部１６と外周壁部１６から半径方向外側に突出する複数の突部１７が形成されている。突部１７はスカート壁６の上下方向に直線状に延びる線条（リブ状）形状であって、主部８の全周に亘って形成されている。以下、主部８に形成されている突部１７の領域をスカート部ナール形成領域３１とする。
【００１０】
円筒状の上方突出壁９は、スカート壁６と肉厚が等しく、上方突出壁９の外周面にはスカート壁６のスカート部ナール形成領域３１の突部１７を上方へ延長線上に延ばした外周面部ナール形成領域３２を形成している。スカート部ナール形成領域３１及び外周面部ナール形成領域３２の各突部は、全体が同じ幅（周方向幅）、同じ長さ、同じ高さ（半径方向外側）に形成されている。上方突出壁９の上端部は、半径方向内側へ向けた湾曲部１３を形成し、外周面部ナール形成領域３２の各突部１７は湾曲部１３に向かって湾曲部１３の対応する肉厚部分で消滅する。
【００１１】
図４に示すように、天面壁５の内面側には、天面壁５から下側に突出する環状シール２３が形成されている。環状シール２３は、外周面が図示しない容器の口頸部の内周面に当接することによってシール性を保持する。そして、容器蓋１の内周面には、容器の雄ネジと螺着する雌ネジ２１が形成されている。また、タンパーエビデント裾部１０の内周面には、容器蓋１の半径方向内側に突出する内方向突起１１を複数個形成している。この内方向突起１１は、容器に形成された係止部に係合して開栓後のタンパーエビデント裾部１０の抜け止めの役割を果たす。
【００１２】
このような容器蓋１は、容器のデザイン上から容器の口頸部の長さが短いものに用いられる。ユーザが開栓するときには、片手で図示しない容器を握りしめて固定し、他方の手の指先によって容器蓋１を開栓する。このとき、スカート壁６のみならず、上方突出壁９も握ることができるので、容器蓋１をしっかりと握ることができ、またタンパーエビデント裾部１０を一緒に握るようなこともない。スカート壁６及び上方突出壁９を回転させると、ネジ２１の作用により、容器蓋１の全体が上方へ移動するが、タンパーエビデント裾部１０の内周面に設けられているラチェット片１５が図示しない容器のラチェット爪に係止されているので、タンパーエビデント裾部１０の回転が阻止され、主部８の側のみが上方へ移動することとなり、弱化ライン７の橋絡部１４が切断され、弱化ライン７を境界として、主部８の側が容器の口頸部から分離される。
この際、子供や老人のように力の弱い人であっても、容易に容器蓋１を開栓することができる。
【００１３】
次に、本発明の容器蓋の第２の実施形態について説明する。
図５は、本発明に係る容器蓋１の斜視図であり、図６は容器蓋１の正面図、図７は容器蓋１の天面を示す平面図である。上記第１の実施形態と同じ部分については同一の符合を付して説明する。
この容器蓋１は、円板形状の天面壁５とこの天面壁５の外側に設けられ、天面壁５よりも低い位置に配設されている略円筒形状のスカート壁６と、天面壁５よりも高い位置に配設され、天面壁５の周縁部から上方に突出する舌片状の上方突出壁９を有する。
上方突出壁９は、本実施形態では９個所に形成され、スカート壁６の周方向に等間隔を空けて配設されている。容器蓋１の上方突出壁９は、スカート壁６と肉厚が等しく、上方突出壁９の外周面にはスカート壁６のスカート部ナール形成領域３１の突部１７を上方へ延長線上に延ばした外周面部ナール形成領域３２を形成している。
【００１４】
スカート部ナール形成領域３１及び外周面部ナール形成領域３２の各突部１７は、全体が同じ幅（周方向幅）、同じ長さ、同じ高さ（半径方向外側）に形成されている。上方突出壁９の上部は、半径方向内側へ向けた湾曲部１３を形成し、外周面部ナール形成領域３１の各突部は湾曲部１３に向かって湾曲部１３の対応する肉厚部分で消滅する。
容器蓋１の上方突出壁９のない部分における天面壁５とスカート壁６との間は、上方に向けて半径方向内側に向かう湾曲部１３ａを形成し、突部１７は湾曲部１３ａに向かって湾曲部１３ａの対応する肉厚部分で消滅する。本実施形態では、上方突出壁９は７個所の突部１７が形成され、上方突出壁９のない部分では、５本の突部１７が形成されている。したがって、上方突出壁９のある部分の方が周方向幅が大きく形成されている。
容器蓋１のその他のタンパーエビデント裾部１０などの形状、材質などは上記第１の実施形態と同じであるので、説明を省略する。
【００１５】
このような容器蓋１は、省資源化、コストを下げることを目的として、スカート壁の高さを低くしたものや、容器蓋の径の小さいもの、容器のデザイン上から容器の口頸部の長さの短いものに用いられる。
ユーザが容器蓋１を開栓するときには、片手で図示しない容器を握りしめて固定し、他方の手の指先によって容器蓋１を開栓する。このとき、スカート壁６のみならず、上方突出壁９も握ることができるので、容器蓋１をしっかりと握ることができ、またタンパーエビデント裾部１０を一緒に握るようなこともない。各上方突出壁９の間の空間、すなわち、上方突出壁９の側面を指の腹部に引っ掛けるような方法で開栓してもよい。
【００１６】
このような容器蓋１は、実質的に天面壁の高さが上方突出壁９にある容器蓋とほぼ同等の開け易さを保持することになるが、本実施形態では上方突出壁９間の空隙分だけ材料が節約されて、コストを軽減することができる。
また、容器蓋１の洗浄時などで天面壁５に水がかかったような場合、上方突出壁９の間の部分が水抜きの役割を果たすことができ、天面壁５に水が溜まるようなことが防止される。
その他のタンパーエビデント裾部１０における橋絡部１４の切断、子供や老人のように力の弱い人であっても、容易に容器蓋１を開栓することができる作用・効果などは上記実施形態と同じである。
【００１７】
次に本発明の容器蓋の第３の実施形態について説明する。
図８は、本発明に係る容器蓋１の斜視図であり、図９は容器蓋１の正面図、図１０は容器蓋１の天面を示す平面図である。上記第１の実施形態と同じ部分については同一の符合を付して説明する。
この容器蓋１は、円板形状の天面壁５とこの天面壁５の外側に設けられ、天面壁５よりも低い位置に配設されている略円筒形状のスカート壁６と、天面壁５よりも高い位置に配設され、天面壁５の周縁部から上方に突出する上方突出壁９を有する。
【００１８】
図８及び図１０に示すように、容器蓋１のスカート壁６に形成されている突部は、半径方向外側へ突出高さの大きな大突部１８ａとこの大突部１８ａよりも突出高さの低い小突部１９ａ〜１９ｃが形成されている。大突部１８ａの先端は、横断面形状がほぼ半円形状であり、この同一形状の大突部１８ａが同ピッチで、本実施形態では５個が連続して配設されている。なお、この大突部が５個連続して並べられた領域を、以下大突部領域１８という。この同一形状に構成されている大突部領域１８が複数設けられ、主部８の周方向に等間隔に配設されている。大突部領域１８の周方向角度は１０度〜４５度の範囲が好ましい。
【００１９】
主部８の各大突部領域１８の間には、小突部領域１９が形成されている。小突部領域１９は、上述した大突部１８ａよりも高さの小さい小突部１９ａ〜１９ｃが主部８から半径方向外側へ突出して形成され、小突部１９ａ〜１９ｃは小突部領域１９内にて、最外側に位置する２個の外側小突部１９ａの高さが、大突部１８ａの突出高さよりも低く、外側小突部１９ａの内側に位置する２個の内側小突部１９ｂの高さが、外側小突部１９ａの突出高さよりも低く、内側小突部１９ｂのさらに内方側に位置し、小突部領域１９の中央位置に１つある中央小突部１９ｃがさらに内側小突部１９ｂの突出高さよりも低く形成されている。これらの外側小突部１９ａ、内側小突部１９ｂ及び中央小突部１９ｃの周方向ピッチは、大突部１８ａの周方向ピッチに等しく形成されている。よって、大突部領域１８の周方向角度と小突部領域１９の周方向角度は、本実施形態では一致させている。なお、大突部領域１８及び小突部領域１９の周方向ピッチは、容器への巻締適性を考慮すると一致させることが好ましい。
【００２０】
上述したように、小突部領域１９の突部は外側から中間位置に向かって、小突部１９ａ、１９ｂ、１９ｃの順に配置され、小突部１９ａ、１９ｂ、１９ｃの順に漸次、主部８の外面からの突出高さが低くなるように形成されている。また、主部８の周方向における大突部領域１８の大突部１８ａの幅は等しく、小突部領域１９では、小突部領域１９の外側から中間位置に向かって、漸次幅が狭くなっている。すなわち、外側小突部１９ａ＞内側小突部１９ｂ＞中央小突部１９ｃの関係にある。このように、主部８の突部を含めた厚さは、大突部領域１８の部分が、大突部１８ａの存在によって厚肉に形成され、小突部領域１９の部分が、大突部１８ａよりも薄肉に形成されている。
なお、主部８に形成したスカート壁６の全周方向に亘って複数形成した突部１８ａ、１９ａ〜１９ｃを、以下スカート部ナール形成領域３１とする。このようなスカート部ナール形成領域３１は、全体として、主部８の半径方向へほぼ波打った形状に形成され、全体としては、大突部領域１８が波の山側となり、小突部領域１９が波の谷側となる。
【００２１】
容器蓋１の上方突出壁９には、スカート部ナール形成領域３１の大突部１８ａ及び小突部１９ａ〜１９ｃを上方へ延長線上に延ばした外周面部ナール形成領域３２を形成している。外周面部ナール形成領域３２には、スカート部ナール形成領域３１の大突部１８ａ及び小突部１９ａ〜１９ｃが連続（直線部分）して形成されている。そして、天面壁５には、その外周面部ナール形成領域３２から天面壁５の中心側へ向かって、外周面部ナール形成領域３２とともに上方突出壁９を形成する環状の上面部ナール形成領域３３が形成されている。この上面部ナール形成領域３３は、大突部領域３８と小突部領域３９とを設けている。大突部領域３８は、外周面部ナール形成領域３２の大突部１８ａから連続して天面壁の内側へ向かって上方へかつ円弧状に延びて天面壁５に直下する複数の大突部３８ａが形成されている。また、小突部領域３９は、外周面部ナール形成領域３２の各対応する小突部１９ａ、１９ｂ、１９ｃから連続して天面壁の内側へ向かって上方へかつ円弧状に延びて天面壁５に直下する小突部３９ａ〜３９ｃが形成されている。
【００２２】
本実施形態では、隣接する５個の突部が形成されている大突部３８ａの形状は、全てが同一形状であり、上方へ突出する高さも各大突部３８ａが等しく、同一高さに形成されている。小突部領域３９の小突部３９ａ，３９ｂ，３９ｃの形状は、図８及び図９に示すように、大突部３８ａに隣接する外側小突部３９ａが大突部３８ａよりも上下方向に低く、外側小突部３９ａに隣接する内側小突部３９ｂが外側小突部３９ａよりも低く、小突部領域３９の中央に配設されている中央小突部３９ｃが内側小突部３９ｂよりも低い。
すなわち、大突部３８ａ＞外側小突部３９ａ＞内側小突部３９ｂ＞中央小突部３９ｃの関係になる。また、本実施形態では、大突部３８ａと外側小突部３９ａの高さの差、外側小突部３９ａと内側小突部３９ｂの高さの差、内側小突部３９ｂと中央小突部３９ｃの高さの差の各差が等しく減じるように形成している。そして、各突部３８ａ，３９ａ〜３９ｃの先端は上述したように円弧状に丸く形成されている。
【００２３】
こうして、上面部ナール形成領域３３は、全体として、上下に波打った形状に形成され、大突部領域３８が波の山側となり、小突部領域３９が波の谷側となる（図８及び図９参照）。
なお、上面部ナール形成領域３３では、各突部３８ａ、３９ａ〜３９ｃを天面壁５の中心部に向けているので、それらの周方向の幅は、中心側に向かうほど細く形成されている（図１０参照）。
外周面部ナール形成領域３２の大突部１８ａ及び小突部１９ａ〜１９ｃは、スカート部ナール形成領域３１の大突部１８ａ及び小突部１９ａ〜１９ｃと同様に、全体として、主部８の半径方向へほぼ波打った形状に形成され、全体としては、大突部領域１８が波の山側となり、小突部領域１９が波の谷側となる。
容器蓋１のその他のタンパーエビデント裾部１０などの形状、材質などは上記第１の実施形態と同じであるので、説明を省略する。
【００２４】
このような容器蓋１は、ユーザが開栓するときには、片手で図示しない容器を握りしめて固定し、他方の手の指先によって容器蓋１を開栓する。
この際、子供や老人のように力の弱い人であっても、ナール形成領域３１，３２に指の平部を引っ掛けたり（又は押し付けたり）、手の平部を上面部ナール形成領域３３に押し付けたりして、容易に容器蓋を開栓することができる。また、容器蓋の高さが低くて、容器蓋の主部の握りが狭くスカート部に力を十分にかけられないような容器蓋に対して、外周面部ナール形成領域３２及び上面部ナール形成領域３３を形成することにより、容器蓋の握りの面積を大きくすることができる。したがって、タンパーエビデント裾部１０を備えた容器蓋１を開栓するようなときは、外周面部ナール形成領域３２の高さを延長した分だけ、握りの長さが大きくなって、タンパーエビデント裾部１０を一緒に握って回すようなことがなくなり、開栓が容易になる。
なお、上面部ナール形成領域３３の各突部３８ａ、３９ａ〜３９ｃの上端側を天面壁５の中心側へ向かうようにして延ばしたので、径方向内側への付加に対する強度が大きくなり、容器蓋１を強い握り力で開栓することができる。
【００２５】
さらに、タンパーエビデント裾部１０を分離するときには、開栓後における通常の開栓時よりも負荷が大きいが、本実施形態では、容器蓋１のスカート部ナール形成領域３１及び外周面部ナール形成領域３２の周囲には、大突部領域１８及び小突部領域１９が交互に形成されている。ユーザはそれらのナール形成領域３１，３２に指を当てて、指先が滑ることなく大きな負荷をかけることができるとともに、ナール形成領域３１，３２に手を触れることによって、滑らかな感触性を得ることができる。このように、本実施形態の容器蓋１は、大突部１８ａ，３８ａと小突部１９ａ〜１９ｃ，３９ａ〜３９ｃの形状が波形状の曲線を描いているので、指先を大突部領域１８，３８及び小突部領域１９，３９に押し付けても、指の皮膚が食い込んで痛むような感触を防止できる。これについては、橋絡部１４の切断後の容器蓋１の開閉についても、良好な容器蓋１の開栓性、触感性を得ることができる。
【００２６】
以上、本発明の実施形態について説明したが、本発明の技術的思想に基づいて、勿論、本発明は種々の変形又は変更が可能である。
例えば、上記第３の実施形態では、小突部領域１９，３９を中央側に向けて漸次、小突部１９ａ〜１９ｃ及び３９ａ〜３９ｃの大きさを小さくして、容器蓋１の半径方向内側へ突出高さを小さくしたが、小突部は突出高さを同じにしてもよい。
上記第３の実施形態では、小突部３９ａ〜３９ｃの高さを異なる高さの突部としたが、突部全体を同じ高さにすることもでき、小突部３９ａ〜３９ｃを省略してもよい。
上記第１及び第２の実施形態については、容器蓋１に大突部領域及び小突部領域を形成しなかったが、上記第３の実施形態のように、大突部領域及び小突部領域を形成してもよい。
【図面の簡単な説明】
【００２７】
【図１】本発明の第１の実施形態の容器蓋の斜視図である。
【図２】図１の容器蓋の正面図である。
【図３】図１の容器蓋の平面図である。
【図４】図３の容器蓋を垂直方向へ切断した断面図である。
【図５】本発明の第２の実施形態の容器蓋の斜視図である。
【図６】図５の容器蓋の正面図である。
【図７】図５の容器蓋の平面図である。
【図８】本発明の第２の実施形態の容器蓋の斜視図である。
【図９】図８の容器蓋の正面図である。
【図１０】図８の容器蓋の平面図である。
【符号の説明】
【００２８】
１  容器蓋
５  天面壁
６  スカート壁
７  弱化ライン
８  主部
９  突出壁
１０  裾部
１６  外周壁部
１７  突部
１８，３８  大突部領域
１８ａ，３８ａ  大突部
１９，３９  小突部領域
１９ａ〜１９ｃ，３９ａ〜３９ｃ  小突部
３１  スカート部ナール形成領域
３２  外周面部ナール形成領域
【図１】
0005022142.tif 000002
【図２】
0005022142.tif 000003
【図３】
0005022142.tif 000004
【図４】
0005022142.tif 000005
【図５】
0005022142.tif 000006
【図６】
0005022142.tif 000007
【図７】
0005022142.tif 000008
【図８】
0005022142.tif 000009
【図９】
0005022142.tif 000010
【図１０】
0005022142.tif 000011